(57)【要約】    【課題】防音性能をさらに高めると共に、用途に応じて防音性能を変更可能な防音カーペットを提供すること。    【解決手段】上面に多数の係止突起１１ａを設けた下側遮音層１１と、下面に多数の係止突起１６ａを設けると共に表裏を貫通する多数の貫通孔１６ｂを形成したバッキング層１６で裏打ちされた上側繊維層１２とを有しており、前記下側遮音層１１と上側繊維層１２とが吸音層１３を介して積層されていることから、上側繊維層１２のバッキング層１６に形成した多数の貫通孔１６ａによる吸音効果と、下側遮音層１１と上側繊維層１２との間に配された吸音層１３による吸音効果と、下側遮音層１１による遮音効果とによって、優れた防音性能を有する。  【選択図】  図１
2008142442.tif 000002
【特許請求の範囲】
【請求項１】
床面に設置される防音カーペットであって、
上面に多数の係止突起を設けた下側遮音層と、下面に多数の係止突起を設けると共に表裏を貫通する多数の貫通孔を形成したバッキング層で裏打ちされた上側繊維層とを有しており、
前記下側遮音層と上側繊維層とが吸音層を介して積層されたことを特徴とする防音カーペット。
【請求項２】
下側遮音層と上側繊維層とを吸音層を介して積層したときに、下側遮音層上面の係止突起と上側繊維層下面の係止突起の位置がズレて交互に配置されていることを特徴とする請求項１記載の防音カーペット。
【請求項３】
下側遮音層と上側繊維層とが分離可能であることを特徴とする請求項１または２のいずれかに記載の防音カーペット。
【請求項４】
上側繊維層が、パイル糸を打ち込んだ繊維基材と、前記繊維機材裏面を裏打ちするバッキング層とからなることを特徴とする請求項１〜３のいずれかに記載の防音カーペット。
【請求項５】
バッキング層が発泡樹脂層からなることを特徴とする請求項１〜４のいずれかに記載の防音カーペット。
【請求項６】
上側繊維層の構成素材として、多数のフタロシアニン繊維を含む糸と導電性繊維を含む糸とによって芯部を構成し、前記芯部の周りに天然繊維 、合成繊維 、半合成繊維 または再生繊維からなる糸によって鞘部を構成した複合糸を用いたことを特徴とする請求項１〜５のいずれかに記載の防音カーペット。
【請求項７】
多数のフタロシアニン繊維を含む糸と導電性繊維を含む糸とによって芯部を構成し、前記芯部の周りに天然繊維 、合成繊維 、半合成繊維 または再生繊維からなる糸によって鞘部を構成した複合糸をパイル糸に用いたことを特徴とする請求項６記載に記載の防音カーペット。
【請求項８】
下側遮音層が発泡樹脂層からなることを特徴とする請求項１〜３のいずれかに記載の防音カーペット。
【請求項９】
吸音層が不織布、織物、編物、紙、フェルト、及び発泡樹脂層から選ばれる１種若しくはこれらの複合物からなることを特徴とする請求項１〜３のいずれかに記載の防音カーペット。
【請求項１０】
吸音層が不織布からなることを特徴とする請求項９に記載の防音カーペット。
【発明の詳細な説明】
【技術分野】
【０００１】
本発明は、例えば自動車や列車、航空機などの乗り物の床面に敷設されるカーペットやマット、建物の室内や廊下の床面に敷設されるカーペットやマット、コンピュータのオペレーション用チェアマット、部屋の出入口に敷設される床面用マット、エレベータ内やエレベータホールの開閉扉前に敷設される床面用マット、玄関マットなどに適用される防音カーペット、特には建物の室内や廊下の床面に設置されるカーペットとして好適な防音カーペットに関する。
【背景技術】
【０００２】
従来、例えば図４に示すように、表面材２と、該表面材２にバッキング層３を介して積層された吸音材４とにより構成されるカーペットにおいて、前記表面材２から吸音材４に貫通する多数の貫通孔５を穿設したことを特徴とするものが提案されている（特許文献１参照）。
【０００３】
上記カーペットによれば、表裏を貫く多数の貫通孔が、孔の吸音効果と孔表面の吸音効果とによって、孔のないカーペットに比べて、その吸音性能を著しく向上させていた。
【特許文献１】特開昭６２−１８４９４７号公報
【発明の開示】
【発明が解決しようとする課題】
【０００４】
ところが、上記カーペットの場合、建物の室内や廊下の床面に敷設されるカーペットとして用いる場合には、表裏を貫く多数の貫通孔が音を遮断性を阻害してしまい、床下への十分な騒音対策ができなかった。
【０００５】
本発明は、このような事情に鑑みなされたものであり、防音性能をさらに高めると共に、用途に応じて防音性能を変更可能な防音カーペットを提供することを目的とするものである。
【課題を解決するための手段】
【０００６】
上記目的を達成するために、請求項１に係る発明の採った手段は、「床面に設置される防音カーペットであって、
上面に多数の係止突起を設けた下側遮音層と、下面に多数の係止突起を設けると共に表裏を貫通する多数の貫通孔を形成したバッキング層で裏打ちされた上側繊維層とを有しており、
前記下側遮音層と上側繊維層とが吸音層を介して積層されたことを特徴とする防音カーペット」である。
【０００７】
請求項２記載の発明は、「下側遮音層と上側繊維層とを吸音層を介して積層したときに、下側遮音層上面の係止突起と上側繊維層下面の係止突起の位置がズレて交互に配置されていることを特徴とする請求項１記載の防音カーペット」をその要旨とした。
【０００８】
請求項３記載の発明は、「下側遮音層と上側繊維層とが分離可能であることを特徴とする請求項１または２のいずれかに記載の防音カーペット」をその要旨とした。
【０００９】
請求項４記載の発明は、「上側繊維層が、パイル糸を打ち込んだ繊維基材と、前記繊維機材裏面を裏打ちするバッキング層とからなることを特徴とする請求項１〜３のいずれかに記載の防音カーペット」をその要旨とした。
【００１０】
請求項５記載の発明は、「バッキング層が発泡樹脂層からなることを特徴とする請求項１〜４のいずれかに記載の防音カーペット」をその要旨とした。
【００１１】
請求項６記載の発明は、「上側繊維層の構成素材として、多数のフタロシアニン繊維を含む糸と導電性繊維を含む糸とによって芯部を構成し、前記芯部の周りに天然繊維 、合成繊維 、半合成繊維 または再生繊維からなる糸によって鞘部を構成した複合糸を用いたことを特徴とする請求項１〜５のいずれかに記載の防音カーペット」をその要旨とした。
【００１２】
請求項７記載の発明は、「多数のフタロシアニン繊維を含む糸と導電性繊維を含む糸とによって芯部を構成し、前記芯部の周りに天然繊維 、合成繊維 、半合成繊維 または再生繊維からなる糸によって鞘部を構成した複合糸をパイル糸に用いたことを特徴とする請求項６記載に記載の防音カーペット」をその要旨とした。
【００１３】
請求項８記載の発明は、「下側遮音層が発泡樹脂層からなることを特徴とする請求項１〜３のいずれかに記載の防音カーペット」をその要旨とした。
【００１４】
請求項９記載の発明は、「吸音層が不織布、織物、編物、紙、フェルト、及び発泡樹脂層から選ばれる１種若しくはこれらの複合物からなることを特徴とする請求項１〜３のいずれかに記載の防音カーペット」をその要旨とした。
【００１５】
請求項１０記載の発明は、「吸音層が不織布からなることを特徴とする請求項９に記載の防音カーペット」をその要旨とした。
【発明の効果】
【００１６】
本発明の防音カーペットは、上面に多数の係止突起を設けた下側遮音層と、下面に多数の係止突起を設けると共に表裏を貫通する多数の貫通孔を形成したバッキング層で裏打ちされた上側繊維層とを有しており、下側遮音層と上側繊維層とが吸音層を介して積層されていることから、上側繊維層のバッキング層に形成した多数の貫通孔による吸音効果と、下側遮音層と上側繊維層との間に配された吸音層による吸音効果と、下側遮音層による遮音効果とによって、優れた防音性能を有する。
【００１７】
また、本発明の防音カーペットにあっては、下側遮音層と上側繊維層とが吸音層を介して積層されたカーペットとして用いたり、或いは上側繊維層を取り外して、遮音層のない上側繊維層のみからなるカーペットとして用いたりするなど、用途に応じて防音性能を変更することができる。
【００１８】
また、本発明の防音カーペットを自動車用として用いる場合には、下側遮音層を自動車床面に敷設するカーペットとして、また上側繊維層をその上に載置する自動車用マットとして用いることができる。この場合、下側遮音層と上側繊維層は、それぞれの下面または上面に設けた多数の係止突起と下側遮音層と上側繊維層との間に配される吸音層とが大きな摩擦力を生じ、下側遮音層と上側繊維層とのズレを確実に防止できるという利点がある。
【００１９】
一方、本発明の防音カーペットを建物の室内や廊下の床面に敷設されるカーペットとして用いる場合、本発明の防音カーペット全体構成を床面に敷設されるカーペットとして用いる場合の他、下側遮音層を床面に敷設するカーペットとして、また上側繊維層をその上に載置する床マットとして用いることができる。この場合も、下側遮音層と上側繊維層は、それぞれの下面または上面に設けた多数の係止突起と下側遮音層と上側繊維層との間に配される吸音層とが大きな摩擦力を生じ、下側遮音層と上側繊維層とのズレを確実に防止できるという利点がある。
【発明を実施するための最良の形態】
【００２０】
以上のように構成した各請求項に係る発明を、図面に示した実施の形態に従って説明する。図１には、請求項１記載に係る防音カーペットの一例が示してある。この防音カーペット１０は、家屋の室内や自動車の車室内の床面Ｆ上に敷設するものであり、優れた防音性能に加えて、人体に帯電した静電気を吸収除去できる機能並びに消臭、抗アレルゲン作用をも有するものである。
【００２１】
図１に示す防音カーペット１０は、下側遮音層１１と吸音層１３を介して積層された上側繊維層１２とからなる。下側遮音層１１は、スチレン−ブタジエン−スチレン共重合体（ＳＢＳ）、ポリエチレン、ポリプロピレン、ポリエチレンなどの樹脂を発泡成形してなる発泡シートからなる。該シートには、マイカフレーク、炭酸カルシウムなどの無機充填剤が充填されていて、優れた制振性と遮音性とを有している。図示の例では、ＳＢＳにマイカフレーク及び炭酸カルシウムを充填し、発泡剤によって独立気泡型に発泡成形してなる発泡シートを下側遮音層１１として用いた。この下側遮音層１１の上面には、多数の係止突起１１ａが設けられている。
【００２２】
一方、図１に示す上側繊維層１２は、パイル糸１５を打ち込んだ繊維基材１４と、前記繊維基材１４裏面を裏打ちするバッキング層１６とからなる。繊維基材１４には、不織布、織物、編物、紙、或いはフェルトを用いることができるが、好ましくは取り扱い性、価格などの点から不織布である。不織布としては、例えばチタン、セリウム、亜鉛、銅といった光触媒粒子表面をフッ素系多孔質層で被覆した抗菌性防臭粒子を繊維表面に付着させた抗菌性防臭繊維を含む不織布、あるいは従来公知の抗菌剤をバインダーと共に塗布または散布させて構成繊維表面に付着させた不織布などの抗菌性を有する不織布を用いると、室内の悪臭を効率よく吸収し、これを分解または吸着除去することから好ましい。
【００２３】
また繊維基材１４には、例えば図２及び図３に示すように、多数のフタロシアニン繊維を含む糸１８と導電性繊維を含む糸１９とによって芯部を構成し、前記芯部の周りに天然繊維 、合成繊維 、半合成繊維 または再生繊維からなる糸２０によって鞘部を構成した複合糸２１を含ませることもできる。これにより抗菌、抗アレルゲン効果と、導電効果とを得ることができる。
【００２４】
尚、複合糸２１に含まれる導電性繊維としては、特に限定されず、例えば炭素繊維、金属繊維、導電性セラミック繊維などの無機繊維、合成繊維を主材とし、この繊維表面に銅や銀、アルミニウムなどの金属をメッキしたメッキ繊維、繊維表面に銅や銀、アルミニウムなどの金属を練り込んだもの、あるいは繊維成分中に導電性を有する樹脂を含ませた繊維などを挙げることができる。
【００２５】
またパイル糸１５についても同様に、図２及び図３に示す複合糸２１を含ませることができ、上記繊維基材１４とパイル糸１５の双方に複合糸２１を含ませたならば、より効果的に抗菌、抗アレルゲン、並びに導電の各効果を得ることができる。
【００２６】
パイル糸１５は、不織布からなる繊維基材１４の表側から略Ｕ字状となるように打ち込まれ、繊維基材１４の裏側にはＳＢＲよりなる発泡樹脂層１７（連続気泡型）を設けて前記パイル糸１５の抜けを止めがなされている。この発泡樹脂層１７の裏側に吸音性を有する不織布層１８を介してバッキング層１６が設けられている。
【００２７】
繊維基材１４裏面を裏打ちするバッキング層１６は、ＳＢＳ、ポリエチレン、ポリプロピレン、ポリエチレンなどの樹脂を発泡成形してなる発泡シートからなる。該シートには、マイカフレーク、炭酸カルシウムなどの無機充填剤が充填されていて、優れた制振性と吸音性を有している。図示の例では、ＳＢＳにマイカフレーク及び炭酸カルシウムを充填し、発泡剤によって連続気泡型に発泡成形してなる発泡シートをバッキング層１６として用いた。このバッキング層１６の下面には、多数の係止突起１６ａが設けられている。
【００２８】
またバッキング層１６には、表裏を貫通する多数の貫通孔１６ｂが穿設されている。このため、各貫通孔１６ｂの内面には無数の吸音穴（図示しない）が形成されている。つまりバッキング層１６は、樹脂を発泡させた連続気泡構造を有するものであるから、各発泡部分が貫通孔と連通し、貫通孔１６ｂには、無数の吸音穴（図示しない）が開口することになり、該バッキング層１６に伝播した音は、貫通孔１６ｂを通して、また貫通孔１６ｂの内壁を通して、さらに貫通孔１６ｂに開口する無数の吸音穴（図示しない）を通して、吸音がなされるようになり、優れた吸音効果が発揮されることになる。
【００２９】
吸音層１３は、不織布、織物、編物、紙、フェルト、及び発泡樹脂層から選ばれる１種若しくはこれらの複合物からなり、下側遮音層１１と上側繊維層１２との間において、該カーペット１０に吸音性とクッション性とを付与するものである。図示の例では、不織布を吸音層として用いた。
【００３０】
本発明の防音カーペット１０は、上述の下側遮音層１１と上側繊維層１２とを吸音層１３を介して積層したときに、下側遮音層上面の係止突起と上側繊維層下面の係止突起の位置がズレて交互に配置されるようになっている。これにより、下側遮音層１１上面と上側繊維層１２の下面とからそれぞれ突出する各係止突起１１ａ、１６ａによって吸音層１３が係止されることになる。この結果、下側遮音層１１と上側繊維層１２は、それぞれの下面または上面に設けた多数の係止突起１１ａ、１６ａが下側遮音層１１と上側繊維層１２との間に配される吸音層１３内に入り込んでこれを係止し、下側遮音層１１と上側繊維層１２とのズレは確実に防止されるようになっている。このため、下側遮音層１１と上側繊維層１２と吸音層１３の各相互間は、基本的に接着剤などで接合する必要はない。しかし、長期に渡る一体性が求められる場合には、各相互間を接着剤などで接合することもできる。
【００３１】
また、上述のように、下側遮音層１１と上側繊維層１２と吸音層１３の各相互間は、基本的に接着剤などで接合する必要がなく、用途に応じて、或いは上側繊維層１２のクリーニングを目的として、上側繊維層１２を取り外す場合には、単に上側繊維層１２を持ち上げるだけで分離が可能である。
【００３２】
尚、本発明の範囲は、「請求の範囲」に定義されており、その範囲に含まれる全ての変更、形態を採ることができる。
【図面の簡単な説明】
【００３３】
【図１】本発明の防音カーペットを示す要部拡大断面図である。
【図２】本発明の上側繊維層に含まれる複合糸を示す要部拡大図である。
【図３】同じく複合糸の要部拡大断面図である。
【図４】従来の防音カーペットを示す要部拡大断面図である。
【符号の説明】
【００３４】
１０    ・・・防音カーペット
１１    ・・・下側遮音層
１１ａ  ・・・係止突起
１２    ・・・上側繊維層
１３    ・・・吸音層
１４    ・・・繊維基材
１５    ・・・パイル糸
１６    ・・・バッキング層
１６ａ  ・・・係止突起
１６ｂ  ・・・貫通孔
１７    ・・・発泡樹脂層
１８    ・・・不織布
【図１】
2008142442.tif 000003
【図２】
2008142442.tif 000004
【図３】
2008142442.tif 000005
【図４】
2008142442.tif 000006